(57)【特許請求の範囲】
【請求項１】
支持筒体と、
該支持筒体に挿入され、軸方向に一端側が前記支持筒体から外部に突出し、前記支持筒体に対し軸回りに回動可能に設けられたシリンダと、
該シリンダ内に摺動可能に挿嵌されたピストンと、
該ピストンに一端が連結され、他端が前記シリンダの他端側から延出し、前記支持筒体の他端側に固定されたロッドとからなるシリンダ機構と、
前記支持筒体と前記シリンダ機構との間に設けられ、前記シリンダ機構の前記支持筒体に対する回動に対して基準位置に復帰させる回動位置復帰機構と、
前記シリンダ機構の一端側に座部が取り付けられる椅子用のガススプリング装置において、
前記回動位置復帰機構は、
外周が前記支持筒体内に固着して設けられ、内周に前記シリンダが挿通される案内部材と、
該案内部材に収納され、前記シリンダの外周側に係合され、該シリンダの軸回りの回動に応じて回動する軸方向の一側に傾斜面が形成された回動部材と、
前記回動部材の前記傾斜面と当接、離間する傾斜面が一側に形成され、前記案内部材に対して回動規制部材により回動を規制され、且つ前記シリンダが挿通されて軸方向のみ移動可能な昇降部材と、
前記支持筒体内に設けられ、前記昇降部材を前記昇降部材の傾斜面と前記回動部材の傾斜面とが当接する方向に付勢するばね部材とを備え、
前記回動規制部材は、
前記昇降部材に一体的に設けられた凸部と、該凸部に対応する前記案内部材に設けられた凹部とから構成され、
前記凸部及び凹部は、前記回動部材と前記昇降部材とが当接する方向に移動するに従い周方向の幅寸法が狭くなるテーパ状に形成されることを特徴とするガススプリング装置。
【請求項２】
前記回動部材の内周側には、前記シリンダ機構の外周を挟持する少なくとも２箇所以上で挟持する挟持機構を設けることを特徴とする請求項１に記載のガススプリング装置。
【発明の詳細な説明】
【技術分野】
【０００１】
本発明はガススプリング装置に関する。
【背景技術】
【０００２】
一般に、椅子に着座したときの座り心地を良好にするためには、ガススプリング装置を介して座部を支持する構成のものが知られている（例えば、特許文献１参照）。
【０００３】
この種のガススプリング装置は、レバー操作により椅子の高さ調整を行えると共に、座部が回動可能に支持されており、座部に作用していた荷重（体重）が無くなると、座部を初期位置に復帰させる回動位置復帰機構（「オートリターン機構」とも呼ばれている）が設けられている。
【０００４】
従来のガススプリング装置では、回動位置復帰機構が、支持筒体内に固着された案内部材と、シリンダ機構の回動に応じて回動する軸方向の一側に傾斜面が形成された回動部材と、回動部材の傾斜面と当接、離間する傾斜面が一側に形成され、回動規制部材により回動を規制され、軸方向のみ移動可能な昇降部材と、昇降部材の傾斜面と回動部材の傾斜面とが当接する方向に付勢するばね部材とを備えている。そして、ガススプリング装置に支持された座部は、昇降部材の傾斜面と回動部材の傾斜面とが一致するように回動部材が軸回りに回動することで所定の向きとなる初期位置に復帰する。
【先行技術文献】
【特許文献】
【０００５】
【特許文献１】特開平９−１０８０６２号公報
【発明の概要】
【発明が解決しようとする課題】
【０００６】
しかしながら、従来のガススプリング装置では、昇降部材が軸方向に昇降移動すると共に回動規制部材により回動を規制される構成であるので、昇降部材の外周より半径方向に突出する凸部が回動規制部材の凹部に係合し、且つ昇降部材が高さ調整動作により昇降することを許容するように凹部が軸方向に延在形成されている。
【０００７】
昇降部材の凸部は、回動規制部材の凹部に嵌合して回動規制され、且つ座部の高さ調整時に回動規制部材の凹部に沿って昇降移動するため、凹部との間に隙間を設けて昇降移動をスムーズにしている。
【０００８】
そのため、従来は、昇降部材の凸部と回動規制部材の凹部との隙間（遊び）があるので、可動側の昇降部材が固定側の回動規制部材に対してがたつきのある状態に組立られており、回動位置復帰機構によってガススプリング装置に支持された座部を初期位置に復帰させる際に座部の位置が上記隙間（遊び）によってばらつくという問題がある。
【０００９】
そこで、本発明は上記課題を解決したガススプリング装置を提供することを目的とする。
【課題を解決するための手段】
【００１０】
上記課題を解決するため、本発明は以下のような手段を有する。
【００１１】
本発明は、支持筒体と、
該支持筒体に挿入され、軸方向に一端側が前記支持筒体から外部に突出し、前記支持筒体に対し軸回りに回動可能に設けられたシリンダと、
該シリンダに摺動可能に挿嵌されたピストンと、
該ピストンに一端が連結され他端が前記シリンダの他端側から延出し、前記支持筒体の他端側に固定されたロッドとからなるシリンダ機構と、
前記支持筒体と前記シリンダ機構との間に設けられ、前記シリンダ機構の前記支持筒体に対する回動に対して基準位置に復帰させる回動位置復帰機構と、
前記シリンダ機構の一端側に座部が取り付けられる椅子用のガススプリング装置において、
前記回動位置復帰機構は、
外周が前記支持筒体内に固着して設けられ、内周に前記シリンダが挿通される案内部材と、
該案内部材に収納され、前記シリンダの外周側に係合され、該シリンダの軸回りの回動に応じて回動する軸方向の一側に傾斜面が形成された回動部材と、
前記回動部材の前記傾斜面と当接、離間する傾斜面が一側に形成され、前記案内部材に対して回動規制部材により回動を規制され、且つ前記シリンダが挿通されて軸方向のみ移動可能な昇降部材と、
前記支持筒体内に設けられ、前記昇降部材を前記昇降部材の傾斜面と前記回動部材の傾斜面とが当接する方向に付勢するばね部材とを備え、
前記回動規制部材は、
前記昇降部材に一体的に設けられた凸部と、該凸部に対応する前記案内部材に設けられた凹部とから構成され、
前記凸部及び凹部は、前記回動部材と前記昇降部材とが当接する方向に移動するに従い周方向の幅寸法が狭くなるテーパ状に形成されることを特徴とする。
【発明の効果】
【００１２】
本発明によれば、回動規制部材を構成する凸部及び凹部が回動部材と昇降部材とが当接する方向に移動するに従い周方向の幅寸法が狭くなるテーパ状に形成されるため、昇降部材がばね部材の付勢力により復帰方向に移動した際、凸部のテーパ部と凹部のテーパ部とが軸方向に移動して嵌合することで昇降部材と案内部材との間のがたつきを無くして初期位置に復帰した際に周方向のがたつきが無い状態となり、座部を初期位置に復帰させた際の座部の位置を所定位置に位置決めすることができる。
【図面の簡単な説明】
【００１３】
【図１】本発明によるガススプリング装置の一実施例を示す縦断面図である。
【図２Ａ】ガススプリング装置の回動位置復帰機構の初期位置を示す側面図である。
【図２Ｂ】図２Ａ中Ａ−Ａ線に沿うガススプリング装置の回動位置復帰機構の初期位置を示す縦断面図である。
【図２Ｃ】ガススプリング装置の回動位置復帰機構を示す底面図である。
【図３Ａ】回動位置復帰機構の回動状態を示す側面図である。
【図３Ｂ】図３Ａ中Ｂ−Ｂ線に沿う縦断面図である。
【図４Ａ】回動位置復帰機構の案内部材を示す側面図である。
【図４Ｂ】図４Ａ中Ｃ−Ｃ線に沿う縦断面図である。
【図４Ｃ】回動位置復帰機構の案内部材を示す底面図である。
【図５Ａ】回動位置復帰機構の昇降部材を示す正面図である。
【図５Ｂ】回動位置復帰機構の昇降部材を示す背面図である。
【図５Ｃ】回動位置復帰機構の摺動部材を示す平面図である。
【図５Ｄ】図５Ａ中Ｄ−Ｄ線に沿う縦断面図である。
【図６Ａ】回動位置復帰機構の回動部材を示す平面図である。
【図６Ｂ】図６Ａ中Ｅ−Ｅ線に沿う縦断面図である。
【図６Ｃ】図６Ａ中Ｆ−Ｆ線に沿う縦断面図である。
【発明を実施するための形態】
【００１４】
以下、図面を参照して本発明を実施するための形態について説明する。
【００１５】
図１は本発明によるガススプリング装置の一実施例を示す縦断面図である。図１に示されるように、ガススプリング装置１０は、高さ調整機構として作用する弁機構２０と、回動位置復帰機構３０とを有する。ガススプリング装置１０は、外観的には筒状体からロッドが突出したものであり、その下端には椅子１２の脚部１３が嵌合される。また、ガススプリング装置１０の上端には座部１４を支持するブラケット１６が嵌合している。
【００１６】
ガススプリング装置１０の外周側に設けられた支持筒体４０は、底部開口が底板５０に閉塞された有底円筒状に形成されている。支持筒体４０の内部に挿通された外筒６０は、支持筒体４０の上端開口から軸方向に移動可能に突出している。
【００１７】
支持筒体４０の内周と外筒６０の外周との間に形成された筒状空間には、椅子１２の回動方向の向きを初期位置に復帰させる回動位置復帰機構３０が設けられている。回動位置復帰機構３０は、人が立ちあがった離席状態になると座部１４の向きを所定の向き（初期位置）に自動的に復帰させる機構であり、案内部材７０、昇降部材８０、回動部材９０、ばね部材１００等から大略構成されている。
【００１８】
案内部材７０は、支持筒体４０の内周側にかしめ等により固定されており、外筒６０を軸方向と回動方向に案内する。また、案内部材７０の内周側には、ばね部材１００が収容される凹部が設けられている。ばね部材１００は、上端が昇降部材８０の底部に当接し、下端が支持筒体４０にかしめ加工により固定されたばね受け１１０に当接している。
【００１９】
回動部材９０は、上側に設けられたスラスト軸受１２０によって回動可能に支持されている。また、回動部材９０は、外筒６０に対し回動方向に一体的に回動するように固定され、外筒６０を軸方向にのみ移動可能に支持している。さらに、回動部材９０の下面には、昇降部材８０の傾斜面（カム面）に当接、離間する傾斜面（カム面）が形成されている。ばね部材１００は、昇降部材８０を上方に付勢しており、昇降部材８０と回動部材９０との傾斜面同士を当接する初期位置の方向に付勢している。
【００２０】
さらに、スラスト軸受１２０の上端と案内部材７０の内周側との間には、ウェーブワッシャ１２２を設けている。ウェーブワッシャ１２２は、環状に形成された上下面が軸方向に湾曲する凹部と凸部とを周方向に交互に形成された板バネ作用を有する波ワッシャであり、回動部材９０とスラスト軸受１２０に軸力を与えるためのものである。
【００２１】
ここで、シリンダ機構１３０の構成について説明する。外筒６０の上端開口には、プランジャ１４０が摺動可能に挿嵌されている。このプランジャ１４０は、例えば、操作レバー１５０の外部操作により下方に押圧操作させると、外筒６０の内部に降下して高さ調整を可能とする。
【００２２】
また、外筒６０の内側には、金属チューブからなるシリンダ１６０が挿入されている。また、シリンダ１６０の内部底部には、ピストン１７０、ピストンロッド１８０が軸方向に摺動可能に挿入されており、シリンダ１６０の上端には、ガスの流通をオンまたはオフとする弁機構２０が設けられている。弁機構２０は、人が座部１４に座った着席状態で加圧ガスの流れを流通することにより座部１４の高さ調整操作を行う高さ調整機構を構成しており、シリンダ１６０の上室１６０Ａとシリンダ１６０の外周に形成された連通路とを連通するガス流通路（図１では隠れて見えない）と、上下方向に貫通するプランジャ１４０のロッド１４２に設けられたスプール弁１４４とから構成されている。スプール弁１４４は、プランジャ１４０が押圧操作されないときは、弁機構２０のガス流通路を遮断する閉位置にある。
【００２３】
ロッド１４２の上端は、プランジャ１４０の下端に当接しており、着座状態でプランジャ１４０が操作レバー１５０によって押圧操作されると、ロッド１４２が下方に変位して、スプール弁１４４の括れ部分が弁機構２０のガス流通路を遮断する閉位置からガス流通路を連通する開位置に変位する。
【００２４】
シリンダ１６０の内部は、加圧ガスが充填されており、ピストン１７０の上側に形成された上室１６０Ａと、ピストン１７０の下側に形成されたに連通される下室１６０Ｂとを有する。また、上室１６０Ａと下室１６０Ｂとの間は、弁機構２０のガス流通路を介して連通されており、スプール弁１４４の作動位置によりガス流通路が連通または遮断される。
【００２５】
ピストン１７０は、シリンダ１６０内を上室１６０Ａと下室１６０Ｂとに仕切っており、ピストン１７０の中央には、ピストンロッド１８０が結合されている。そのため、ピストンロッド１８０はピストン１７０と共に軸方向（上下方向）に移動可能に設けられている。
【００２６】
着座状態で上記操作レバー１５０によってプランジャ１４０が押圧されてスプール弁１４４が下方に変位してガス流通路を開放したときは、シリンダ１６０の上室１６０Ａと下室１６０Ｂとの間が連通状態に切り替わり、ピストン１７０が上面と下面との受圧面積の差によりガス圧によって押し下げられる。これにより、ピストンロッド１８０がシリンダ１６０の下方に押し出され、座部１４の高さ位置を上昇させることが可能になる。
【００２７】
図２Ａはガススプリング装置の回動位置復帰機構の初期位置を示す側面図である。図２Ｂは図２Ａ中Ａ−Ａ線に沿うガススプリング装置の回動位置復帰機構の初期位置を示す縦断面図である。図２Ｃはガススプリング装置の回動位置復帰機構を示す底面図である。尚、図２Ａ乃至図２Ｃにおいて、ばね部材１００、スラスト軸受１２０、ウェーブワッシャ１２２を省略してある。
【００２８】
図２Ａ乃至図２Ｃに示されるように、案内部材７０は、下部が円筒形状に形成されており、内部に昇降部材８０と回動部材９０とが同軸上に配されている。昇降部材８０は、案内部材７０の円筒部外周側に設けられた回止め用凹部７２、７３に係合する一対の凸部８２、８３を有する。回止め用凹部７２、７３及び凸部８２、８３は、周方向上１８０度の間隔で設けられ、軸方向への昇降動作をガイドすると共に、昇降部材８０の周方向への回動を規制する規制部材である。
【００２９】
回動部材９０は、案内部材７０の円筒部の内側で軸回りに回動可能に設けられ、且つ軸方向に移動しないように昇降動作を規制されている。また、案内部材７０、昇降部材８０、回動部材９０は、それぞれ外筒６０が挿通される挿通孔７４、８４、９４が軸方向に貫通している。
【００３０】
図３Ａは回動位置復帰機構の回動状態を示す側面図である。図３Ｂは図３Ａ中Ｂ−Ｂ線に沿う縦断面図である。
【００３１】
図３Ａ及び図３Ｂに示されるように、外筒６０の上端に結合された座部１４が着座状態のまま軸回りに回動されると、外筒６０とともに回動部材９０が回動し、回動部材９０の回動に伴って回動規制された昇降部材８０がばね部材１００のばね力に抗して軸方向下方に移動する。
【００３２】
また、着座状態のときは、座部１４を介して外筒６０に体重が作用しており、外筒６０の外周に嵌合された回動部材９０も座部１４と同じ方向に回動している。そして、昇降部材８０は、回動部材９０の傾斜面がカム面として作用することで下方に降下してばね部材１００を圧縮する。そのため、ばね部材１００のばね力が増大して昇降部材８０をより強く上方に付勢する。
【００３３】
回動部材９０の傾斜面９１は、座部１４が初期位置にあるときは、昇降部材８０の傾斜面８１と傾斜方向が一致し、傾斜面８１全体に対向する位置にある（図２Ｂ参照）。また、座部１４を回動させた状態では、回動部材９０の傾斜面９１が昇降部材８０の傾斜面８１と相対的に回動しており、傾斜面９１の一部が傾斜面８１に接触している。
【００３４】
上記のように座部１４に体重が作用された着座状態では、外筒６０の上端に体重が作用しているので、回動部材９０の負荷が増大しており、ばね部材１００のばね力によって回動部材９０を初期位置に復帰させることができない。そして、座部１４を回動させた状態で離席した場合、座部１４に作用する体重が除去され、回動部材９０に作用する負荷が軽減されるため、昇降部材８０を上方に付勢するばね部材１００のばね力により回動部材９０の傾斜面９１が昇降部材８０の傾斜面８１と一致する方向に回動する。
【００３５】
ここで、案内部材７０、昇降部材８０、回動部材９０の構成について詳細に説明する。
【００３６】
図４Ａは回動位置復帰機構の案内部材を示す側面図である。図４Ｂは図４Ａ中Ｃ−Ｃ線に沿う縦断面図である。図４Ｃは回動位置復帰機構の案内部材を示す底面図である。
【００３７】
図４Ａ乃至図４Ｃに示されるように、案内部材７０は、円筒形状の上部中央に外筒６０が挿通される挿通孔７４が軸方向に貫通しており、且つ下部に昇降部材８０、回動部材９０を収納する収納凹部７５が形成されている。また、収納凹部７５を囲むように形成された筒状の壁部７６には、前述した回止め用凹部７２、７３が下端から上方に延在形成されている。
【００３８】
回止め用凹部７２、７３は、軸方向に延在形成された直線部７２ａ、７３ａと、上方の位置になるに従い周方向の幅寸法が狭くなるテーパ部７２ｂ、７３ｂとを有する。また、テーパ部７２ｂ、７３ｂの両側に形成された壁面の軸線に対する傾斜角度θは、それぞれ同一角度に形成され、左右対称である。
【００３９】
尚、案内部材７０は、同一形状に形成された回止め用凹部７２、７３が周方向に１８０度の間隔で設けられているので、回止め用凹部７２、７３の位置を気にせずに取り付けることができる。
【００４０】
図５Ａは回動位置復帰機構の昇降部材を示す正面図である。図５Ｂは回動位置復帰機構の昇降部材を示す背面図である。図５Ｃは回動位置復帰機構の摺動部材を示す平面図である。図５Ｄは図５Ａ中Ｄ−Ｄ線に沿う縦断面図である。
【００４１】
図５Ａ乃至図５Ｄに示されるように、昇降部材８０の上面には、回動部材９０の傾斜面９１と対向する傾斜面８１が形成されている。また、昇降部材８０の外周側には、案内部材７０の回止め用凹部７２、７３に係合する第１、第２凸部８２、８３が設けられている。
【００４２】
傾斜面８１は、一方の第１凸部８２の突出側が最も低い最低位置ＰＡとなり、他方の第２凸部８３の突出側が最も高い最高位置ＰＢとなるように形成されている。上方からみると、最低位置ＰＡと最高位置ＰＢとの間に一対の傾斜面８１が左右対称に配置される。
【００４３】
一方の第１凸部８２は、側方からみると四角形状に形成され、横幅が回止め用凹部７２、７３の直線部７２ａ、７３ａの周方向の溝幅よりも若干小さい寸法に形成されている。他方の第２凸部８３は、両側面が軸方向に延在形成された直線部８３ａと、両側面が軸方向に対して傾斜するテーパ部８３ｂとを有する。テーパ部８３ｂの軸線に対する傾斜角αは、回止め用凹部７２、７３のテーパ部７２ｂ、７３ｂの傾斜角θとほぼ同じ角度に設定されている（θ≒α）。
【００４４】
尚、本実施の形態では、第１凸部８２と第２凸部８３とが異なる形状に形成されているが、第１凸部８２の形状も第２凸部８３と同様にテーパ部を有する形状としても良い。
【００４５】
座部１４を回動させて離席した場合には、昇降部材８０がばね部材１００のばね力によって上昇しながら傾斜面８１の最高位置ＰＢが回動部材９０の傾斜面９１を押圧して回動部材９０を回動させて座部１４を初期位置に復帰させる。その動作過程において、昇降部材８０の第１、第２凸部８２、８３は、案内部材７０の回止め用凹部７２、７３に沿って上方に移動するため、第２凸部８３のテーパ部８３ｂが回止め用凹部７３のテーパ部７３ｂに嵌合することにより、座部１４を支持するシリンダ機構１３０の軸方向及び周方向の動きが拘束される。
【００４６】
これにより、支持部材４０に固定された案内部材７０と昇降部材８０とは、互いに第２凸部８３のテーパ部８３ｂと回止め用凹部７３のテーパ部７３ｂとががたつきの無い状態に嵌合することで座部１４を支持する外筒６０のがたつきを抑制することが可能になる。従って、座部１４が初期位置に復帰した際には、第２凸部８３のテーパ部８３ｂが軸方向に移動して回止め用凹部７３のテーパ部７３ｂと嵌合することで昇降部材８０と案内部材７０との間の軸方向及び周方向のがたつきが無い状態となり、座部１４を初期位置に復帰させた際の座部１４の周方向上の停止位置を所定位置に位置決めすることができる。
【００４７】
そのため、座部１４を支持する外筒６０と回動部材９０との間のがたつきによる座部１４の初期位置のずれが解消され、座部１４を回動させて離席した場合に、座部１４を所定の初期位置に正確に復帰させることが可能になる。また、ウェーブワッシャ１２２により案内部材７０の内周側では、スラスト軸受１２０、回動部材９０、昇降部材８０に軸力を与えることができ、それらの間の遊びを抑えることができるので、さらに座部１４の初期位置のずれが解消される。
【００４８】
また、昇降部材８０は、円筒形状の内周に軸線方向に貫通する挿通孔８４を有する。挿通孔８４には、外筒６０が挿通され、且つ外筒６０に対して軸方向（昇降方向）にのみ移動可能に設けられる。さらに、昇降部材８０の底部には、ばね部材１００の上端が当接するばね受け用の凹部８５が形成されている。
【００４９】
図６Ａは回動位置復帰機構の回動部材を示す平面図である。図６Ｂは図６Ａ中Ｅ−Ｅ線に沿う縦断面図である。図６Ｃは図６Ａ中Ｆ−Ｆ線に沿う縦断面図である。
【００５０】
図６Ａ乃至図６Ｃに示されるように、回動部材９０は、円筒形状の上面に傾斜面９１が形成されている。傾斜面９１は、前述した昇降部材８０の傾斜面８１と同様に、最低位置ＰＡと最高位置ＰＢとの間に左右対称に配置される。また、傾斜面９１の水平方向（または軸方向）に対する傾斜角度は、昇降部材８１の傾斜面８１の傾斜角度とほぼ同一角度となるように形成されている。
【００５１】
回動部材９０の挿通孔９４は、軸方向からみると、外筒６０の外周形状に対応する長円形に形成されており、内周側の平面部分には、シリンダ機構１３０の外筒６０を挟持するシリンダ挟持機構１９０が設けられている。シリンダ挟持機構１９０は、一対の可変係合部材２００と、一対の板バネ２１０とから構成されている。
【００５２】
可変係合部材２００は、縦断面形状がＬ字状に形成されており、取付孔９５の寸法形状に対応している。すなわち、可変係合部材２００は、内周開口９３より挿通孔９４に突出する突部２０２と、底部開口９２の側壁に対向するように突部２０２より下方に延在するストッパ部２０４とを有する。また、可変係合部材２００は、回動部材９０の底部開口９２に挿入された板バネ２１０により内周側に押圧されている。
【００５３】
さらに、回動部材９０の挿通孔９４の内壁には、可変係合部材２００の突部２０２が内側に突出するための内周開口９３が設けられている。内周開口９３と底部開口９２とは、Ｌ字状の取付孔９５により連通されている。取付孔９５には、可変係合部材２００と、板バネ２１０とが挿入されている。
【００５４】
従って、回動部材９０の挿通孔９４にシリンダ機構１３０の外筒６０が挿通されると、可変係合部材２００の突部２０２が外筒６０の外周に当接する。なお、外筒６０の外周形状を多角形とし、可変係合部材２００の突部２０２が当接する位置を平坦面とすることにより回動部材９０とシリンダ１３０の外筒６０の間の隙間をさらに抑えることができる。これにより、可変係合部材２００の突部２０２は、外側に変位すると共に、板ばね２１０を圧縮し、板ばね２１０のバネ力を増大させる。この板ばね２１０のバネ力が可変係合部材２００の突部２０２を介して外筒６０の外周に対して１８０度の方向から同時に作用する。
【００５５】
これにより、外筒６０は、回動部材９０に対してがたつきの無い安定した状態に保持される。よって、回動部材９０とシリンダ機構１３０の外筒６０との間の隙間によるがたつきを無くして座部１４を初期位置に復帰させる際の座部１４の復帰位置のずれを抑制することができる。そのため、座部１４を支持する外筒６０と回動部材９０との間のがたつきによる座部１４の初期位置のずれが解消され、座部１４を回動させて離席した場合に、座部１４を所定の初期位置に正確に復帰させることが可能になる。
【００５６】
尚、挟持機構１９０は、外筒６０の外周を少なくとも２箇所以上で挟持する構成であれば良いので、例えば、可変係合部材２００及び板ばね２１０を３箇所または４箇所に配置しても良い。また、板ばね２１０の代わりに可変係合部材２００を内側に押圧する弾性部材（例えば、ゴム部材）を用いても良い。
【符号の説明】
【００５７】
１０  ガススプリング装置
１２  椅子
１４  座部
２０  弁機構
３０  回動位置復帰機構
４０  支持筒体
６０  外筒
７０  案内部材
７２、７３  回止め用凹部
７２ａ、７３ａ、８３ａ  直線部
７２ｂ、７３ｂ、８３ｂ  テーパ部
７４、８４、９４  挿通孔
７５  収納凹部
８０  昇降部材
８１、９１  傾斜面
９０  回動部材
１００  ばね部材
１２０  スラスト軸受
１３０  シリンダ機構
１４０  プランジャ
１４４  スプール弁
１５０  操作レバー
１６０  シリンダ
１６０Ａ  上室
１６０Ｂ  下室
１７０  ピストン
１８０  ピストンロッド
１９０  シリンダ挟持機構
２００  可変係合部材
２１０  板バネ
２０２  突部
２０４  ストッパ部
【図１】
0005484877.tif 000002
【図２Ａ】
0005484877.tif 000003
【図２Ｂ】
0005484877.tif 000004
【図２Ｃ】
0005484877.tif 000005
【図３Ａ】
0005484877.tif 000006
【図３Ｂ】
0005484877.tif 000007
【図４Ａ】
0005484877.tif 000008
【図４Ｂ】
0005484877.tif 000009
【図４Ｃ】
0005484877.tif 000010
【図５Ａ】
0005484877.tif 000011
【図５Ｂ】
0005484877.tif 000012
【図５Ｃ】
0005484877.tif 000013
【図５Ｄ】
0005484877.tif 000014
【図６Ａ】
0005484877.tif 000015
【図６Ｂ】
0005484877.tif 000016
【図６Ｃ】
0005484877.tif 000017